(57)【要約】【課題】建物の開口部などの設置部位の大きさへの対応の許容範囲を拡大することのできるスクリーン装置を提供すること。【解決手段】２つのスライドガイド枠部９を個別に収納する第１収納部１５と第２収納部１６がスクリーン取付枠部２、３の内部に配設され、第１収納部と第２収納部はスクリーン取付枠部の内部において異なる位置に配置され、２つのスライドガイド枠部は、同一のスクリーン取付枠部内に収納されるそれぞれの自由端において、交差することのないループ２０を形成する張力部材２１によって相互に連結されている。【選択図】図１
2010037858.tif 000002
【特許請求の範囲】
【請求項１】
左右に対向配置されたスライド移動可能な一対のスクリーン取付枠部の間に、収縮および展開自在なスクリーンが取り付けられ、スクリーンの上下両端部付近にそれぞれスライドガイド枠部が配設され、スライドガイド枠部は、屈曲性を有し、両端が自由端とされてスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置であって、２つのスライドガイド枠部を個別に収納する第１収納部と第２収納部がスクリーン取付枠部の内部に配設され、第１収納部と第２収納部はスクリーン取付枠部の内部において異なる位置に配置され、２つのスライドガイド枠部は、同一のスクリーン取付枠部内に収納されるそれぞれの自由端において、交差することのないループを形成する張力部材によって相互に連結されていることを特徴とするスクリーン装置。
【請求項２】
２つのスライドガイド枠部は、対向配置された一対の側壁部と両側壁部を相互に繋ぐ架橋部とを有する剛性ユニットが隣り合う２つの剛性ユニットの間で回動自在に連設されて形成されたものであることを特徴とする請求項１に記載のスクリーン装置。
【請求項３】
スクリーンの下端部付近に配設されたスライドガイド枠部は、対向配置された一対の側壁部と両側壁部を相互に繋ぐ架橋部とを有する剛性ユニットが隣り合う２つの剛性ユニットの間で回動自在に連設されて形成されたものであり、スクリーンの上端部付近に配設されたスライドガイド枠部は、屈曲性とともに弾性を有する帯状バネ材から形成されたものであることを特徴とする請求項１に記載のスクリーン装置。
【請求項４】
帯状バネ材から形成された上側のスライドガイド枠部の自由端に、左右両側端部に係合溝が形成されたコネクトピースが配設され、スクリーン取付枠部の対向する内壁面部から内側に突出し、スクリーン取付枠部の高さ方向に延びるガイド片が第１収納部として配設され、コネクトピースの係合溝にガイド片が挿入され、コネクトピースがガイド片にガイドされて、上側のスライドガイド枠部は、第１収納部において上下方向にスライド移動可能とされていることを特徴とする請求項３に記載のスクリーン装置。
【発明の詳細な説明】
【技術分野】
【０００１】
本発明は、カーテン、ブラインド、網戸、さらに間仕切りなどとして用いることのできる多用途のスクリーン装置に関する。
【背景技術】
【０００２】
カーテン、ブラインドなどの遮光および調光手段や網戸、間仕切りなどに適用可能な、スムーズで安定した開閉操作を実現する装置として、本出願人は、スクリーン装置を提供している（たとえば特許文献１）。
【０００３】
特許文献１に記載したスクリーン装置のスクリーン取付枠部のスムーズな平行移動を確実に実現するものとして、本出願人は、特許文献２に記載したスクリーン装置を提供してもいる。
【０００４】
特許文献２に記載したスクリーン装置では、対向配置された、少なくとも一方がスライド移動可能な一対のスクリーン取付枠部の内部に８の字状のループを形成する張力部材が設けられ、両スクリーン取付枠部の間に収縮および展開自在として取り付けられたスクリーンのスクリーン取付枠部への取付側でないスクリーンの両端部付近に配設された一対のスライドガイド枠部が、その少なくとも一端である自由端において上記張力部材によって相互に連結され、張力部材の折返点が、スライドガイド枠部をはさんでスクリーン取付側と反対側に配置されている。
【０００５】
スライドガイド枠部は、対向配置された一対の側壁部とこれを相互に繋ぐ架橋部とを有する剛性ユニットが隣り合う２つの剛性ユニットの間で回動自在に連設されて形成され、スライドガイド枠部は、屈曲性を有し、少なくとも一端が自由端とされてスクリーン取付枠部内に収納および引き出し可能とされている。
【０００６】
特許文献２に記載したスクリーン装置では、上記８の字状のループを形成する張力部材によって一対のスライドガイド枠部がその自由端において相互に連結されているので、両スライドガイド枠部の移動量がほぼ等しくなり、スライドガイド枠部がスムーズにスクリーン取付枠部に収納および引き出され、その結果、スクリーン取付枠部がスムーズに平行移動し、平行移動が確実に実現される。
【特許文献１】特許第３４０３６５２号公報
【特許文献２】特許第３３２３４６１号公報
【発明の開示】
【発明が解決しようとする課題】
【０００７】
上記の通り、特許文献２に記載したスクリーン装置は、スクリーン取付枠部がスムーズにかつ確実に平行移動するという優れた性能を有するものであるが、その後の検討により改善点が見出された。
【０００８】
特許文献２に記載したスクリーン装置では、スクリーン取付枠部の内部に形成された同一の中空状の収納部に一対のスライドガイド枠部がともに収納されるようになっている。このため、スクリーン装置の製品幅Ｗによって一義的に決まるスライドガイド枠部の長さと、製品丈Ｈによって同じく一義的に決まるスクリーン取付枠部の長さの関係から、スクリーン装置には、Ｗ：Ｈがほぼ１：１に決められるという設計上の制約があった。つまり、スクリーン取付枠部の内部におけるスライドガイド枠部の収納代が（１/２）Ｗまでの長さ分となっているのである。
【０００９】
このことから、特許文献２に記載したスクリーン装置は、Ｈに対してＷの大きい建物の開口部などには適用しにくいという問題があった。
【００１０】
本発明は、以上の通りの事情に鑑みてなされたものであり、建物の開口部などの設置部位の大きさへの対応の許容範囲を拡大することのできるスクリーン装置を提供することを課題としている。
【課題を解決するための手段】
【００１１】
本発明は、上記の課題を解決するために、以下の特徴を有している。
【００１２】
第１の発明は、左右に対向配置されたスライド移動可能な一対のスクリーン取付枠部の間に、収縮および展開自在なスクリーンが取り付けられ、スクリーンの上下両端部付近にそれぞれスライドガイド枠部が配設され、スライドガイド枠部は、屈曲性を有し、両端が自由端とされてスクリーン取付枠部内に収納および引き出し可能とされる一方、スクリーン取付枠部のスライド移動にともなってスクリーン取付枠部から引き出されたときにスライドガイド枠部の引き出された部分は直線性を保持するスクリーン装置であって、２つのスライドガイド枠部を個別に収納する第１収納部と第２収納部がスクリーン取付枠部の内部に配設され、第１収納部と第２収納部はスクリーン取付枠部の内部において異なる位置に配置され、２つのスライドガイド枠部は、同一のスクリーン取付枠部内に収納されるそれぞれの自由端において、交差することのないループを形成する張力部材によって相互に連結されていることを特徴としている。
【００１３】
第２の発明は、上記第１の発明の特徴において、２つのスライドガイド枠部は、対向配置された一対の側壁部と両側壁部を相互に繋ぐ架橋部とを有する剛性ユニットが隣り合う２つの剛性ユニットの間で回動自在に連設されて形成されたものであることを特徴としている。
【００１４】
第３の発明は、上記第１の発明の特徴において、スクリーンの下端部付近に配設されたスライドガイド枠部は、対向配置された一対の側壁部と両側壁部を相互に繋ぐ架橋部とを有する剛性ユニットが隣り合う２つの剛性ユニットの間で回動自在に連設されて形成されたものであり、スクリーンの上端部付近に配設されたスライドガイド枠部は、屈曲性とともに弾性を有する帯状バネ材から形成されたものであることを特徴としている。
【００１５】
第４の発明は、上記第３の発明の特徴において、帯状バネ材から形成された上側のスライドガイド枠部の自由端に、左右両側端部に係合溝が形成されたコネクトピースが配設され、スクリーン取付枠部の対向する内壁面部から内側に突出し、スクリーン取付枠部の高さ方向に延びるガイド片が第１収納部として配設され、コネクトピースの係合溝にガイド片が挿入され、コネクトピースがガイド片にガイドされて、上側のスライドガイド枠部は、第１収納部において上下方向にスライド移動可能とされていることを特徴としている。
【発明の効果】
【００１６】
上記第１の発明によれば、２つのスライドガイド枠部を個別に収納する第１収納部と第２収納部がスクリーン取付枠部の内部に配設され、第１収納部と第２収納部はスクリーン取付枠部の内部において異なる位置に配置されているので、第１収納部と第２収納部におけるスライドガイド枠部の収納代がスクリーン取付枠部のほぼ長さにまで拡大され、製品幅Ｗと製品丈Ｈの比の制限をＷ：Ｈ≒２：１にまで拡大することができる。Ｈに対してＷの大きい建物の開口部などにも、大きな構造の変更を加えることなく対応することが可能となる。建物の開口部などの設置部位の大きさへの対応の許容範囲が拡大される。
【００１７】
また、上記第１の発明によれば、２つのスライドガイド枠部が、同一のスクリーン取付枠部内に収納されるそれぞれの自由端において、交差することのないループを形成する張力部材によって相互に連結されているので、両スライドガイド枠部はスムーズにスクリーン取付枠部に収納および引き出され、スクリーン取付枠部がスムーズに平行移動する。
【００１８】
上記第２および第３の発明によれば、２つのスライドガイド枠部がともに剛性ユニットが連設されて形成されたものであっても、下側のスライドガイド枠部が剛性ユニットが連設されて形成されたものであり、上側のスライドガイド枠部が帯状バネ材から形成されたものであっても、同様に上記第１の発明の効果が実現される。
【００１９】
また、上記第３の発明によれば、帯状バネ材から形成された上側のスライドガイド枠部の厚さ寸法を小さくすることができ、スクリーン取付枠部の見付寸法を縮小することができる。外観性にも優れたスクリーン装置とすることができる。
【００２０】
上記第４の発明によれば、上記第３の発明の効果に加え、帯状バネ材から形成された上側のスライドガイド枠部の自由端に、左右両側端部に係合溝が形成されたコネクトピースが配設され、スクリーン取付枠部の対向する内壁面部から内側に突出し、スクリーン取付枠部の高さ方向に延びるガイド片が第１収納部として配設され、コネクトピースの係合溝にガイド片が挿入され、コネクトピースがガイド片にガイドされて、上側のスライドガイド枠部は、第１収納部において上下方向にスライド移動可能とされているので、上側のスライドガイド枠部の第１収納部への収納および引き出しがスムーズに行われる。
【発明を実施するための最良の形態】
【００２１】
図１は、本発明のスクリーン装置の一実施形態を示した概略正面図である。
【００２２】
スクリーン装置１では、一対のスクリーン取付枠部２、３が配設され、スクリーン取付枠部２は左側に、スクリーン取付枠部３は右側に位置し、左右に対向して配置されている。両スクリーン取付枠部２、３はともに、上下方向に延びる中空なバー状の部材であり、アルミニウムなどの軽量材料により押出成形などが可能とされている。
【００２３】
スクリーン取付枠部２、３はともにスライド移動が可能とされ、左右方向にスライド移動する。スクリーン装置１では、断面略コ字型の形状を有する上レール４が配設され、上レール４は、たとえばドアや窓などの建物の開口部内縁の上側などに沿って横方向に取り付けられる。また、スクリーン装置１では、上レール４に対向して下方に配置される下レール５が配設され、下レール５は、たとえば建物の開口部内縁の下側などに沿って横方向に取り付けられる。スクリーン取付枠部２、３は、上端部が上レール４の内側に収められ、下端部が下レール５上に配置されている。したがって、スクリーン取付枠部２、３の左右方向のスライド移動は、上レール４および下レール５にガイドされ、安定性が高められている。
【００２４】
一方、スクリーン取付枠部３は、スクリーン取付枠部２、３が平行に保たれるように、固定されている。たとえば建物の開口部内縁の右側などに固定される。なお、スクリーン装置１では、スクリーン取付枠部３をスライド側とし、スクリーン取付枠部２を固定側とすることもできる。この場合、スクリーン取付枠部２は、たとえば建物の開口部内縁の左側などに固定することができる。
【００２５】
このようなスクリーン取付枠部２、３の間にスクリーン６が取り付けられている。スクリーン６は、プリーツ加工によりプリーツを付けるなどしてスクリーン取付枠部２、３の間に収縮および展開自在とされている。スクリーン６は、スクリーン装置１を網戸などとして使用する場合にはネットから形成することができ、スクリーン装置１の用途に応じて布、樹脂製のシートなどからも形成することができる。また、プリーツ加工によるプリーツ以外に、たとえばハニカム構造などによって収縮および展開自在とすることができる。
【００２６】
スクリーン６は、スクリーン取付枠部２が左側にスライド移動する際に、建物の開口部などに展開し、遮光および調光、虫などの侵入などの機能を果たす。一方、スクリーン取付枠部２が右側にスライド移動すると、スクリーン６は収縮し、スクリーン取付枠部２、３の間に折り畳まれる。
【００２７】
スクリーン６は、左右両端部に支持プレートが取り付けられ、支持プレートを介してスクリーン取付枠部２、３に取り付けられている。図２に示したように、スクリーン取付枠部２、３の内側には幅方向に突出するリブ７が配設されている。スクリーン取付枠部２には、リブ７の左側に支持プレートが挿入され、支持プレートがリブ７に片持ち式で係合することによってスクリーン６が取り付けられている。スクリーン取付枠部３には、リブ７の右側に支持プレートが挿入され、リブ７に片持ち式で係合することによってスクリーン６が取り付けられている。
【００２８】
スクリーン６の折り畳まれ、収縮した部分は、スクリーン取付枠部２では右側に設けられたスクリーン収納部８に収納され、スクリーン取付枠部３では左側にスクリーン収納部８が設けられ、スクリーン収納部８に収納される。スクリーン取付枠部２は、右方向にはその右側の端面がスクリーン取付枠部３の左側の端面に接触するまで移動し、このとき、折り畳まれ、収縮したスクリーン６は、スクリーン取付枠部２、３の内側に収納され、露出しない。
【００２９】
また、スクリーン６には、大きさなどに応じて支持するために、スクリーン６を収縮および展開方向に貫通する張力部材を配設することができる。この張力部材には、紐、ワイヤーなどの張力が発生する適宜な線材が採用され、その素材については耐久性などを考慮して適宜なものが選択される。張力部材は、１本であっても、２本以上の複数本であってもよく、複数本の場合には、スクリーン６の上下方向に一定の間隔で配設することができる。また、張力部材は、スクリーン取付枠部２、３の間に張設することができ、スクリーン取付枠部２、３の内部における引き回し方は特に制限はなく、必要な張力が得られるように、たとえば、一旦下側に屈曲させた後、スクリーン取付枠部２、３の下端部において上側に屈曲させるなどの適宜な方式とすることができる。張力部材によってスクリーン６の自立性が確保されるとともに、面強度を高めることができる。また、収縮および展開が張力部材にガイドされ、スムーズに行われる。
【００３０】
また、スクリーン装置１では、スクリーン６の上下両端部付近にスライドガイド枠部９が配設されている。スライドガイド枠部９は、剛性ユニット１０が隣り合う２つの剛性ユニット１０の間で回動自在に連設されて形成されている。スライドガイド枠部９については、上記特許文献１、２などに記載し、これまでに提供しているスライドガイド枠部を採用することができる。説明の簡略化のために図示を一部省略しているが、剛性ユニット１０は、対向配置された一対の側壁部１１と、両側壁部１１を相互に繋ぐ架橋部１２とを有している。側壁部１１には、長さ方向の一端部に外側に突出する突起１３が配設され、他端部に突起１３と係合可能な貫通孔が形成されている。また、側壁部１１には、突起１３に隣接して上記貫通孔と反対側の位置に外側に突出する小突起が配設されるとともに、上記貫通孔に隣接して突起１３の側に略三日月状の長孔が形成されている。このような剛性ユニット１０が、隣り合う２つの剛性ユニット１０において、突起１３を上記貫通孔に側壁部１１の内側から嵌め込んで係合させるとともに、上記小突起を上記長孔に差し込むことにより回動自在に連設され、スライドガイド枠部９を形成している。このため、スライドガイド枠部９は、屈曲性を有し、また、上記小突起が上記長孔の長さ方向の一端に接触し、剛性ユニット１０の回動が規制されることによって直線性を保持することが可能となってもいる。
【００３１】
２つのスライドガイド枠部９はともに、左右両端が自由端とされ、スクリーン取付枠部２、３には固定されず、スクリーン取付枠部２、３内に収納および引き出し可能とされている。スクリーン取付枠部２を左方向にスライド移動させると、スライドガイド枠部９はスクリーン取付枠部２、３から引き出され、引き出された部分は直線性を保持する。一方、スクリーン取付枠部２を右方向にスライド移動させると、スライドガイド枠部９は、スクリーン取付枠部２、３の上端部、下端部のそれぞれにおいて屈曲し、スクリーン取付枠部２、３の内部に収納される。このようなスライドガイド枠部９のスクリーン取付枠部２、３内の収納および引き出しは、スクリーン６の収縮および展開に同期して行われる。スライドガイド枠部９は、建物の開口部などに露出することはなく、たとえば窓の開閉操作や人の出入りなどに邪魔にならず、外観上も良好となる。
【００３２】
また、スライドガイド枠部９は、両スライドガイド枠部２、３内の収納および引き出しがスムーズに行われるなどのために、長さ方向の中央部に連結部材１４が配設され、連結部材１４を中心にほぼ左右対称な構造を有している。連結部材１４は、スライドガイド枠部９における連結端の剛性ユニット１０に対応する構造を有するものとすることができ、たとえば、対向配置された一対の側壁部と、両側壁部を相互に繋ぐ架橋部とを有するものとすることができる。側壁部には、長さ方向の両端部に外側に突出する突起が配設され、この突起は、剛性ユニット１０の突起１３とほぼ同一の形状および大きさを有し、剛性ユニット１０の上記貫通孔と係合可能とされる。また、側壁部には、上記突起に隣接して端縁側に略三日月状の突起が配設され、この略三日月状の突起は、剛性ユニット１０の略三日月状の長孔と係合可能とされる。そして、連結端に位置する剛性ユニット１０の貫通孔に連結部材１４の上記突起を内側から嵌め込んで係合させるとともに、上記長孔に略三日月状の突起を内側から嵌め込んで係合させることにより、連結部材１４を介してスライドガイド枠部９は１本に連結され、連結部材１４を中心にしてほぼ左右対称な構造となる。
【００３３】
さらに、スクリーン装置１では、スクリーン取付枠部２、３の内部に、上側のスライドガイド枠部９を収納する第１収納部１５と、下側のスライドガイド枠部９を収納する第２収納部１６が設けられている。第１収納部１５は、スクリーン取付枠部２では左側に、スクリーン取付枠部３では右側に配置され、第２収納部１６は、スクリーン取付枠部２では右側に、スクリーン取付枠部３では左側に配置され、スクリーン取付枠部２、３の内部において異なる位置に配置されている。また、第１収納部１５と第２収納部１６の間にはリブ１７が配設されている。リブ１７は、スクリーン取付枠部２、３において対応する内壁面部１８、１９から内側に、スクリーン取付枠部２、３の幅方向の同じ位置において突出している。リブ１７によって第１収納部１５と第２収納部１６は区画されている。
【００３４】
スクリーン取付枠部２が左方向にスライド移動すると、上側のスライドガイド枠部９は第１収納部１５内から引き出され、下側のスライドガイド枠部９は第２収納部１６内から引き出される。スクリーン取付枠部２が右方向にスライド移動すると、上側のスライドガイド枠部９は第１収納部１５内に、下側のスライドガイド枠部９は第２収納部１６内に収納され、第１収納部１５および第２収納部１６には上下２つのスライドガイド枠部９が個別に収納される。
【００３５】
そして、スクリーン装置１では、上下のスライドガイド枠部９は、スクリーン取付枠部２に収納される自由端およびスクリーン取付枠部３に収納される自由端、すなわち、同一のスクリーン取付枠部に収納されるそれぞれの自由端において、交差することのないループ２０を形成する張力部材２１によって相互に連結されている。張力部材２１は、スクリーン６を収縮および展開方向に貫通して配設することのできる上記張力部材と同様に、紐、ワイヤーなどの張力が発生する適宜な線材が採用され、その素材については耐久性などを考慮して適宜なものが選択される。
【００３６】
また、スクリーン取付枠部２、３の内部には、スクリーン取付枠部２、３の幅方向の略中央部の上下に、滑らかな曲面を有する張力調整部材２２が配設されている。張力部材２１は、張力調整部材２２に掛け回されてループ２０を形成し、所定の張力がかかっている。張力調整部材２２は、その滑らかな曲面に張力部材２１が掛け回されることにより張力部材２１にかかる張力の大きさを調整することができ、また、張力部材２２の移動をスムーズにする。このような張力調整部材２２は、一般に、スクリーン取付枠部２、３の上下端部に取り付けられるキャップ部材や、後述する図３に示したスクリーン装置２３ではガイド部材３０などに付属して配設することができる。
【００３７】
このようなスクリーン装置１では、第１収納部１５および第２収納部１６によって、第１収納部１５と第２収納部１６におけるスライドガイド枠部２、３の収納代がスクリーン取付枠部２、３のほぼ長さにまで拡大される。このため、製品幅Ｗと製品丈Ｈの比の制限をＷ：Ｈ≒２：１にまで拡大することができる。したがって、スクリーン装置１は、Ｈに対してＷの大きい建物の開口部などにも、大きな構造の変更を加えることなく対応することが可能となる。建物の開口部などの設置部位の大きさへの対応の許容範囲が拡大される。
【００３８】
しかも、２つのスライドガイド枠部９は、それぞれの自由端において、交差することのないループ２０を形成する張力部材２１によって相互に連結されているので、特許文献２に記載したスクリーン装置とほぼ同様に、両スライドガイド枠部９はスムーズにスクリーン取付枠部２、３に収納および引き出され、スクリーン取付枠部２、３がスムーズに平行移動する。
【００３９】
なお、スクリーン装置１は、スクリーン６を建物の開口部などの全体に展開した状態において、中央部に関してほぼ左右対称の構造を有するため、左右勝手に差はなく、スクリーン取付枠部２、３のどちらで操作しても同じ操作感が得られる。
【００４０】
図３は、本発明のスクリーン装置の一実施形態を正面側から示した要部断面図である。図４は、図３に示したスクリーン装置２３のスクリーン取付枠部２、３の周辺を示した要部断面図である。図３および図４図中には図１および図２に示したスクリーン装置１に対応する部分に同一の符号を付し、その説明を省略する。なお、図３には、図１に示した上レール４および下レール５を省略して図示している。
【００４１】
スクリーン装置２３では、プリーツ加工によりプリーツを付けるなどしてスクリーン取付枠部２、３の間に収縮および展開自在に取り付けられたスクリーン６を収縮および展開方向に貫通する張力部材２４が配設されている。張力部材２４には、紐、ワイヤーなどの張力が発生する適宜な線材が採用され、その素材については耐久性などを考慮して適宜なものが選択される。張力部材２４は、１本であっても、２本以上の複数本であってもよく、複数本の場合には、スクリーン６の上下方向に一定の間隔で配設することができる。張力部材２４は、一端が下側のスライドガイド枠部９の左端側の自由端に固定され、他端が下側のスライドガイド枠部９の右端側の自由端に固定され、スクリーン取付枠部２、３の間に張設されている。必要な張力が得られるように、張力部材２４は、スクリーン取付枠部２、３の内部において下側に屈曲され、スクリーン取付枠部２、３の下端部において上側に屈曲させている。このようなスクリーン取付枠部２、３の内部での張力部材２４の引き回し方も特に制限はない。
【００４２】
また、スクリーン装置２３では、下側のスライドガイド枠部９を剛性ユニット１０が連設されて形成されたものとし、上側のスライドガイド枠部９を屈曲性とともに弾性を有する帯状バネ材２５から形成されたものとしている。
【００４３】
下側のスライドガイド枠部９では、図１および図２に示したスクリーン装置１と同様に、剛性ユニット１０は、対向配置された一対の側壁部１１と、両側壁部１１を相互に繋ぐ架橋部１２とを有している。側壁部１１には、長さ方向の一端部に外側に突出する突起１３が配設され、他端部に突起１３と係合可能な貫通孔２６が形成されている。また、側壁部１１には、突起１３に隣接して貫通孔２６と反対側の位置に外側に突出する小突起２７が配設されるとともに、貫通孔２６に隣接して突起１３の側に略三日月状の長孔２８が形成されている。このような剛性ユニット１０が、隣り合う２つの剛性ユニット１０において、突起１３を貫通孔２６に側壁部１１の内側から嵌め込んで係合させるとともに、小突起２７を長孔２８に差し込むことにより回動自在に連設され、スライドガイド枠部９を形成している。
【００４４】
また、下側のスライドガイド枠部９は、長さ方向の中央部に連結部材１４が配設され、連結部材１４を中心にほぼ左右対称な構造を有している。連結部材１４を介してスライドガイド枠部９は１本に連結され、連結部材１４を中心にしてほぼ左右対称な構造となっている。スクリーン取付枠部２、３の第２収納部１６の下端部には、滑らかに上下方向に湾曲する摺接面２９を有するガイド部材３０が配設され、剛性ユニット１０の連設によって形成された下側のスライドガイド枠部９の第２収納部１６内への収納および引き出しがスムーズに行われるようにしている。このようなガイド部材３０は、図１に示したスクリーン装置１にも配設することができ、スクリーン装置１では、第１収納部１５の上端部および第２収納部１６の下端部に配設することができる。
【００４５】
上側のスライドガイド枠部９は、上記の通り、屈曲性ととも弾性を有する帯状バネ材２５から形成されている。帯状バネ材２５は、通称コンベックスと呼ばれる巻尺に良く用いられている素材であり、たとえば金属製などとすることができる。帯状バネ材２５は、厚み方向に屈曲性とともに弾性を有し、屈曲にともない弾性力が発生し、その解放によって初期状態に復元し、直線性を保持することができる。このような帯状バネ材２５から形成されたスライドガイド枠部を備えるスクリーン装置については、本出願人は、たとえば特許第３３１２８４８号公報などに記載し、提案している。
【００４６】
帯状バネ材２５から形成された上側のスライドガイド枠部９も、下側のスライドガイド枠部９と同様に、左右両端が自由端とされ、スクリーン取付枠部２、３には固定されず、スクリーン取付枠部２、３の第１収納部１５内に収納および引き出し可能とされている。スクリーン取付枠部２を左方向にスライド移動させると、スライドガイド枠部９はスクリーン取付枠部２、３の第１収納部１５から引き出され、引き出された部分は直線性を保持する。一方、スクリーン取付枠部２を右方向にスライド移動させると、スライドガイド枠部９は、スクリーン取付枠部２、３の上端部、下端部のそれぞれにおいて屈曲し、スクリーン取付枠部２、３の第１収納部１５内に収納される。帯状バネ材２５から形成された上側のスライドガイド枠部９も、建物の開口部などに露出することはなく、たとえば窓の開閉操作や人の出入りなどに邪魔にならず、外観上も良好となる。
【００４７】
さらに、スクリーン装置２３では、帯状バネ材２５から形成された上側のスライドガイド枠部９を収納する第１収納部１５として、スクリーン取付枠部２、３の対向する内壁面部１８、１９から内側に突出し、スクリーン取付枠部２、３の高さ方向に延びるガイド片３１が配設されている。ガイド片３１は、下側のスライドガイド枠部９を収納する第２収納部１６との境界部分に隣接して位置しているが、スクリーン取付枠部２、３の内部において第２収納部１６とは、スライドガイド枠部９の収納に関し、実質的に異なる位置に配置されている。
【００４８】
帯状バネ材２５から形成された上側のスライドガイド枠部９の自由端には、図５に示したように、薄板状のコネクトピース３２が、ビス３３によって固定されて配設されている。コネクトピース３２には、左右両側端部に係合溝３４が形成されている。図４に示したように、コネクトピース３２の係合溝３４にガイド片３１が挿入され、コネクトピース３２がガイド片３１にガイドされて、上側のスライドガイド枠部９は、第１収納部１５において上下方向にスライド移動可能とされている。上側のスライドガイド枠部９は、自由端に位置するコネクトピース３２において、図１に示した交差することのないループ２０を形成する張力部材２１によって剛性ユニット１０の連設によって形成された下側のスライドガイド枠部９に連結されている。
【００４９】
このようなスクリーン装置２３でも、図１に示したスクリーン装置１と同様に、第１収納部１５および第２収納部１６によって、第１収納部１５と第２収納部１６におけるスライドガイド枠部２、３の収納代がスクリーン取付枠部２、３のほぼ長さにまで拡大される。このため、製品幅Ｗと製品丈Ｈの比の制限をＷ：Ｈ≒２：１にまで拡大することができる。したがって、スクリーン装置１は、Ｈに対してＷの大きい建物の開口部などにも、大きな構造の変更を加えることなく対応することが可能となる。建物の開口部などの設置部位の大きさへの対応の許容範囲が拡大される。
【００５０】
しかも、２つのスライドガイド枠部９は、それぞれの自由端において、交差することのないループ２０を形成する張力部材２１によって相互に連結されているので、両スライドガイド枠部９はスムーズにスクリーン取付枠部２、３に収納および引き出され、スクリーン取付枠部２、３がスムーズに平行移動する。
【００５１】
また、帯状バネ材２５から形成された上側のスライドガイド枠部９の自由端にコネクトピース３２が配設され、コネクトピース３２の左右両側端部に形成された係合溝３４に、スクリーン取付枠部２、３の第１収納部１５として配設された、上下方向に延びるガイド片３１が挿入され、コネクトピース３２がガイド片３１にガイドされて、帯状バネ材２５から形成された上側のスライドガイド枠部９が、第１収納部１５において上下方向にスライド移動可能とされているので、上側のスライドガイド枠部９の第１収納部１５への収納および引き出しがスムーズに行われる。
【００５２】
そして、帯状バネ材２５から形成された上側のスライドガイド枠部９の厚さ寸法を小さくすることができ、剛性ユニット１０の連設によって形成される下側のスライドガイド枠部９の厚み寸法よりも十分小さくなるため、スクリーン取付枠部２、３の見付寸法、すなわち、スクリーン取付枠部２、３の幅寸法を縮小することができる。したがって、スクリーン装置２３は、外観性にも優れたものとなる。
【００５３】
なお、スクリーン装置２３は、図１に示したスクリーン装置１と同様に、スクリーン６を建物の開口部などの全体に展開した状態において、中央部に関してほぼ左右対称の構造を有するため、左右勝手に差はなく、スクリーン取付枠部２、３のどちらで操作しても同じ操作感が得られる。
【図面の簡単な説明】
【００５４】
【図１】本発明のスクリーン装置の一実施形態を示した概略正面図である。
【図２】図１に示したスクリーン装置のスクリーン取付枠部の周辺を示した要部断面図である。
【図３】本発明のスクリーン装置の一実施形態を正面側から示した要部断面図である。
【図４】図３に示したスクリーン装置のスクリーン取付枠部の周辺を示した要部断面図である。
【図５】帯状バネ材から形成された上側のスライドガイド枠部の自由端付近を示した要部分解斜視図である。
【符号の説明】
【００５５】
１、２３  スクリーン装置
２、３  スクリーン取付枠部
６  スクリーン
９  スライドガイド枠部
１０  剛性ユニット
１１  側壁部
１２  架橋部
１５  第１収納部
１６  第２収納部
１８、１９  内壁面部
２０  ループ
２１  張力部材
２５  帯状バネ材
３１  ガイド片
３２  コネクトピース
３４  係合溝
【図１】
2010037858.tif 000003
【図２】
2010037858.tif 000004
【図４】
2010037858.tif 000005
【図５】
2010037858.tif 000006
【図３】
2010037858.tif 000007